【手続補正書】
【提出日】平成21年8月28日(2009.8.28)
【手続補正１】
【補正対象書類名】特許請求の範囲
【補正対象項目名】全文
【補正方法】変更
【補正の内容】
【特許請求の範囲】
【請求項１】
一群の商品を識別する商品名と、前記一群の商品を提供する複数の商品提供者が開設し当該商品の商品情報を提供するウェブサイトのアドレスとを、互いに関連づけて記憶するとともに、自身が記憶するアドレスのうちの少なくとも一部について、各アドレスとその一または複数の下位階層との少なくともいずれかに対応するウェブデータ上で商品情報を得るためにユーザがなすべき操作を案内する情報であるガイド情報を、前記各アドレスに関連づけてさらに記憶しているデータ記憶部と、
指定されたアドレスのウェブサイトにアクセスしてウェブデータをダウンロードし、ダウンロードしたウェブデータを出力するブラウザ部と、
ユーザによる商品名の入力を受け付け、検索対象商品名として前記データ記憶部に記憶させる商品名入力受付部と、
前記複数の商品提供者が開設するウェブサイトへのユーザによるアクセスの指示を受け付ける商品提供者サイトアクセス指示受付部と、
前記商品提供者サイトアクセス指示部がアクセスの指示を受け付けると、商品提供者が開設するウェブサイトのアドレスであって、前記データ記憶部に記憶されている前記検索対象商品名に関連づけられたアドレスを、前記データ記憶部から取得するアドレス取得部と、
前記アドレス取得部が取得したアドレスを前記ブラウザ部へ、アクセス先として受け渡すアドレス受渡部と、
前記ブラウザ部がアクセスするアドレスに関連づけられたガイド情報を前記データ記憶部から取得するガイド情報取得部と、
前記ブラウザ部がダウンロードしたウェブデータと前記ガイド情報取得部が取得したガイド情報とを、ユーザが同時並列に目視し得る形式で前記ブラウザ部に出力させる、ガイド情報出力部と、を備える商品情報検索支援システム。
【請求項２】
指定されたアドレスのウェブサイトにアクセスしてウェブデータをダウンロードし、ダウンロードしたウェブデータを出力するブラウザ部を有する端末装置に接続可能な商品情報検索支援システムであって、
一群の商品を識別する商品名と、前記一群の商品を提供する複数の商品提供者が開設し当該商品の商品情報を提供するウェブサイトのアドレスとを、互いに関連づけて記憶するとともに、自身が記憶するアドレスのうちの少なくとも一部について、各アドレスとその一または複数の下位階層との少なくともいずれかに対応するウェブデータ上で商品情報を得るためにユーザがなすべき操作を案内する情報であるガイド情報を、前記各アドレスに関連づけてさらに記憶しているデータ記憶部と、
ユーザによる商品名の入力を受け付け、検索対象商品名として前記データ記憶部に記憶させる商品名入力受付部と、
前記複数の商品提供者が開設するウェブサイトへのユーザによるアクセスの指示を受け付ける商品提供者サイトアクセス指示受付部と、
前記商品提供者サイトアクセス指示部がアクセスの指示を受け付けると、商品提供者が開設するウェブサイトのアドレスであって、前記データ記憶部に記憶されている前記検索対象商品名に関連づけられたアドレスを、前記データ記憶部から取得するアドレス取得部と、
前記アドレス取得部が取得したアドレスを前記ブラウザ部へ、アクセス先として受け渡すアドレス受渡部と、
前記ブラウザ部がアクセスするアドレスに関連づけられたガイド情報を前記データ記憶部から取得するガイド情報取得部と、
前記ブラウザ部がダウンロードしたウェブデータと前記ガイド情報取得部が取得したガイド情報とを、ユーザが同時並列に目視し得る形式で前記ブラウザ部に出力させる、ガイド情報出力部と、を備える商品情報検索支援システム。
【請求項３】
前記ガイド情報出力部は、前記ガイド情報取得部が取得したガイド情報が、ユーザに商品名の入力を求める商品名入力欄を含むウェブデータに対応するものである場合に、前記データ記憶部に記憶される前記検索対象商品名を前記商品名入力欄へ入力させるための命令を前記ガイド情報を表示するファイルに貼り付けて前記ブラウザ部へ受け渡す、請求項１又は２記載の商品情報検索支援システム。
【請求項４】
前記ガイド情報出力部は、前記ガイド情報取得部が取得したガイド情報が、ユーザに商品名の入力を求める商品名入力欄を含むウェブデータに対応するものである場合に、前記データ記憶部に記憶される前記検索対象商品名を表示させるための命令を、前記ガイド情報を表示するファイルに貼り付けて前記ブラウザ部へ受け渡す、請求項１又は２記載の商品情報検索支援システム。
【請求項５】
前記データ記憶部は、一群の商品を識別する商品名と、前記一群の商品を提供する複数の商品提供者の識別名とを関連づけて、さらに記憶しており、
前記商品情報検索支援システムは、
前記複数の商品提供者のうち、開設するウェブサイトがアクセスに際して本人認証を求めるものについて、商品提供者の識別名と当該商品提供者へ登録済みの本人認証データとを関連づけて、前記データ記憶部へ記憶させる認証データ入力部を、さらに備え、
前記ガイド情報取得部は、取得したガイド情報が、ユーザに本人認証データの入力を求める認証データ入力欄を含むウェブデータに対応するものである場合に、前記データ記憶部に記憶される前記検索対象商品名に関連づけられた本人認証データを、前記データ記憶部から取得し、
前記ガイド情報出力部は、前記ガイド情報取得部が取得した前記本人認証データを、前記認証データ入力欄へ入力させるための命令を前記ガイド情報を表示するファイルに貼り付けて前記ブラウザ部へ受け渡す、請求項１ないし４のいずれかに記載の商品情報検索支援システム。
【請求項６】
前記データ記憶部は、一群の商品を識別する商品名と、前記一群の商品を提供する複数の商品提供者の識別名とを関連づけて、さらに記憶しており、
前記商品情報検索支援システムは、
前記複数の商品提供者のうち、開設するウェブサイトがアクセスに際して本人認証を求めるものについて、商品提供者の識別名と当該商品提供者へ登録済みの本人認証データとを関連づけて、前記データ記憶部へ記憶させる認証データ入力部を、さらに備え、
前記ガイド情報取得部は、取得したガイド情報が、ユーザに本人認証データの入力を求める認証データ入力欄を含むウェブデータに対応するものである場合に、前記データ記憶部に記憶される前記検索対象商品名に関連づけられた本人認証データを、前記データ記憶部から取得し、
前記ガイド情報出力部は、前記ガイド情報取得部が取得した前記本人認証データを表示させるための命令を前記ガイド情報を表示するファイルに貼り付けて前記ブラウザ部へ受け渡す、請求項１ないし４のいずれかに記載の商品情報検索支援システム。
【請求項７】
前記データ記憶部は、自身が記憶する一群の商品について、互いに類似商品の関係にある商品の商品名同士を関連づけて、さらに記憶しており、
前記商品情報検索支援システムは、
ユーザの指示に応答して、前記データ記憶部に記憶されている前記検索対象商品名の商品に類似する商品の商品名を、前記データ記憶部から取得し、前記ブラウザ部に出力させる類似商品名出力部と、
出力された前記類似商品の商品名の一つのユーザによる選択を受け付け、受け付けた商品名を前記検索対象商品名として前記データ記憶部に記憶させる類似商品名選択受付部と、をさらに備える請求項１ないし６のいずれかに記載の商品情報検索支援システム。
【請求項８】
前記データ記憶部は、自身が記憶する一群の商品について、互いに類似商品の関係にある商品の商品名同士を関連づけて、さらに記憶するとともに、前記一群の商品の各々の商品名と関連づけて、当該各商品の商品情報から要点を抽出してなる要約を、さらに記憶しており、
前記商品情報検索支援システムは、
ユーザによる類似商品の商品情報の要約の出力要求を受け付ける要約出力要求受付部と、
前記要約出力要求受付部が前記要求を受け付けると、前記データ記憶部に記憶されている前記検索対象商品名に関連づけられた商品情報の要約と、前記検索対象商品名の商品に類似する商品の商品名および当該商品名に関連づけられた商品情報の要約とを前記データ記憶部から取得する要約取得部と、
前記検索対象商品名およびその商品情報の要約と前記検索対象商品名の商品の類似商品の商品名およびその商品情報の要約とを互いに対比可能に並べた形式で画面表示させるべく、前記要約取得部が取得した情報を前記ブラウザ部に出力させる要約出力部と、
出力された前記類似商品の商品名の一つのユーザによる選択を受け付け、受け付けた商品名を前記検索対象商品名として前記データ記憶部に記憶させる類似商品名選択受付部と、をさらに備える請求項１ないし６のいずれかに記載の商品情報検索支援システム。
【請求項９】
前記データ記憶部は、前記一群の商品名の商品に関する情報を一括して提供する商品情報提供者が開設するウェブサイトのアドレスをさらに記憶しており、
前記商品情報検索支援システムは、
前記商品情報提供者が開設するウェブサイトへのユーザによるアクセスの指示を受け付ける商品情報提供者サイトアクセス指示受付部を、さらに備え、
前記アドレス取得部は、前記商品情報提供者サイトアクセス指示部がアクセスを受け付けると、前記商品情報提供者が開設するウェブサイトのアドレスを前記データ記憶部から取得する、請求項１ないし８のいずれかに記載の商品情報検索支援システム。
【請求項１０】
前記データ記憶部が記憶する前記アドレスの少なくとも一部は、同一サイト内に複数階層のウェブデータを有するウェブサイトの最上階層のウェブデータに対応するアドレスである、請求項１ないし９のいずれかに記載の商品情報検索支援システム。
【請求項１１】
前記データ記憶部が記憶する前記アドレスの少なくとも一部は、同一サイト内に属する最上階層のウェブデータに対応するアドレスと、それよりも下位階層で且つ商品情報を提示する階層以上のウェブデータに対応するアドレスとを含んでおり、
前記商品情報検索支援システムは、アクセス先として最上階層と下位階層とのいずれのウェブデータを選択するかについてのユーザの指示を受け付ける選択受付部を、さらに備え、
前記アドレス取得部は、前記データ記憶部から取得すべきアドレスとして、同一サイト内の複数階層に属するウェブデータのアドレスが存在するときに、前記選択受付部が受け付けた指示に従ってアドレスを取得する、請求項１０記載の商品情報検索支援システム。
【請求項１２】
前記データ記憶部は、前記一群の商品と同一種類の商品であって、前記複数の商品提供者が開設するウェブサイトのいずれにも商品情報が提供されていない商品について、商品名と当該商品の提供者が提供する商品情報とを関連づけて付加情報としてさらに記憶しており、
前記商品情報検索支援システムは、
前記商品提供者サイトアクセス指示受付部がアクセスの指示を受け付けたときに、前記データ記憶部に記憶されている前記付加情報を参照することにより、前記検索対象商品名に対応する商品情報が存在すれば当該商品情報を取得し、前記ブラウザ部に出力させる付加情報出力部を、さらに備え、
前記アドレス取得部は、前記検索対象商品名に対応する商品情報が前記付加情報に存在しない場合に限り、商品提供者が開設するウェブサイトのアドレスであって、前記データ記憶部に記憶されている前記検索対象商品名に関連づけられたアドレスを、前記データ記憶部から取得する請求項１ないし１１のいずれかに記載の商品情報検索支援システム。
【請求項１３】
前記データ記憶部は、自身が記憶している商品名のうちの少なくとも一部について、商品名と商品名以外の検索キーワードとを関連づけて、さらに記憶しており、
前記商品情報検索支援システムは、
ユーザによる検索キーワードの出力要求を受け付ける検索キーワード出力要求受付部と、
前記検索キーワード出力要求受付部が、出力要求を受け付けると、前記データ記憶部に記憶されている検索対象商品名に関連づけられた検索キーワードを、前記データ記憶部から取得し、取得した検索キーワードを前記ブラウザ部に出力させる検索キーワード出力部と、をさらに備える請求項１ないし１２のいずれかに記載の商品情報検索支援システム。
【請求項１４】
前記商品が医薬品である請求項１ないし１３のいずれかに記載の商品情報検索支援システム。
【請求項１５】
指定されたアドレスのウェブサイトにアクセスしてウェブデータをダウンロードし、ダウンロードしたウェブデータを出力するブラウザ部を備えるコンピュータを、
一群の商品を識別する商品名と、前記一群の商品を提供する複数の商品提供者が開設し当該商品の商品情報を提供するウェブサイトのアドレスとを、互いに関連づけて記憶するとともに、自身が記憶するアドレスのうちの少なくとも一部について、各アドレスとその一または複数の下位階層との少なくともいずれかに対応するウェブデータ上で商品情報を得るためにユーザがなすべき操作を案内する情報であるガイド情報を、前記各アドレスに関連づけてさらに記憶しているデータ記憶部と、
ユーザによる商品名の入力を受け付け、検索対象商品名として前記データ記憶部に記憶させる商品名入力受付部と、
前記複数の商品提供者が開設するウェブサイトへのユーザによるアクセスの指示を受け付ける商品提供者サイトアクセス指示受付部と、
前記商品提供者サイトアクセス指示部がアクセスの指示を受け付けると、商品提供者が開設するウェブサイトのアドレスであって、前記データ記憶部に記憶されている前記検索対象商品名に関連づけられたアドレスを、前記データ記憶部から取得するアドレス取得部と、
前記アドレス取得部が取得したアドレスを前記ブラウザ部へ、アクセス先として受け渡すアドレス受渡部と、
前記ブラウザ部がアクセスするアドレスに関連づけられたガイド情報を前記データ記憶部から取得するガイド情報取得部と、
前記ブラウザ部がダウンロードしたウェブデータと前記ガイド情報取得部が取得したガイド情報とを、ユーザが同時並列に目視し得る形式で前記ブラウザ部に出力させる、ガイド情報出力部として、機能させるための商品情報検索支援プログラム。
【請求項１６】
指定されたアドレスのウェブサイトにアクセスしてウェブデータをダウンロードし、ダウンロードしたウェブデータを出力するブラウザ部と、
一群の商品を識別する商品名と、前記一群の商品を提供する複数の商品提供者が開設し当該商品の商品情報を提供するウェブサイトのアドレスとを、互いに関連づけて記憶するとともに、自身が記憶するアドレスのうちの少なくとも一部について、各アドレスとその一または複数の下位階層との少なくともいずれかに対応するウェブデータ上で商品情報を得るためにユーザがなすべき操作を案内する情報であるガイド情報を、前記各アドレスに関連づけてさらに記憶しているデータ記憶部と、を備えるコンピュータを、
ユーザによる商品名の入力を受け付け、検索対象商品名として前記データ記憶部に記憶させる商品名入力受付部と、
前記複数の商品提供者が開設するウェブサイトへのユーザによるアクセスの指示を受け付ける商品提供者サイトアクセス指示受付部と、
前記商品提供者サイトアクセス指示部がアクセスの指示を受け付けると、商品提供者が開設するウェブサイトのアドレスであって、前記データ記憶部に記憶されている前記検索対象商品名に関連づけられたアドレスを、前記データ記憶部から取得するアドレス取得部と、
前記アドレス取得部が取得したアドレスを前記ブラウザ部へ、アクセス先として受け渡すアドレス受渡部と、
前記ブラウザ部がアクセスするアドレスに関連づけられたガイド情報を前記データ記憶部から取得するガイド情報取得部と、
前記ブラウザ部がダウンロードしたウェブデータと前記ガイド情報取得部が取得したガイド情報とを、ユーザが同時並列に目視し得る形式で前記ブラウザ部に出力させる、ガイド情報出力部として、機能させるための商品情報検索支援プログラム。
【請求項１７】
指定されたアドレスのウェブサイトにアクセスしてウェブデータをダウンロードし、ダウンロードしたウェブデータを出力するブラウザ部を備える端末装置に接続可能なコンピュータを、
一群の商品を識別する商品名と、前記一群の商品を提供する複数の商品提供者が開設し当該商品の商品情報を提供するウェブサイトのアドレスとを、互いに関連づけて記憶するとともに、自身が記憶するアドレスのうちの少なくとも一部について、各アドレスとその一または複数の下位階層との少なくともいずれかに対応するウェブデータ上で商品情報を得るためにユーザがなすべき操作を案内する情報であるガイド情報を、前記各アドレスに関連づけてさらに記憶しているデータ記憶部と、
ユーザによる商品名の入力を受け付け、検索対象商品名として前記データ記憶部に記憶させる商品名入力受付部と、
前記複数の商品提供者が開設するウェブサイトへのユーザによるアクセスの指示を受け付ける商品提供者サイトアクセス指示受付部と、
前記商品提供者サイトアクセス指示部がアクセスの指示を受け付けると、商品提供者が開設するウェブサイトのアドレスであって、前記データ記憶部に記憶されている前記検索対象商品名に関連づけられたアドレスを、前記データ記憶部から取得するアドレス取得部と、
前記アドレス取得部が取得したアドレスを前記ブラウザ部へ、アクセス先として受け渡すアドレス受渡部と、
前記ブラウザ部がアクセスするアドレスに関連づけられたガイド情報を前記データ記憶部から取得するガイド情報取得部と、
前記ブラウザ部がダウンロードしたウェブデータと前記ガイド情報取得部が取得したガイド情報とを、ユーザが同時並列に目視し得る形式で前記ブラウザ部に出力させる、ガイド情報出力部として、機能させるための商品情報検索支援プログラム。
【請求項１８】
指定されたアドレスのウェブサイトにアクセスしてウェブデータをダウンロードし、ダウンロードしたウェブデータを出力するブラウザ部を備える端末装置に接続可能で、一群の商品を識別する商品名と、前記一群の商品を提供する複数の商品提供者が開設し当該商品の商品情報を提供するウェブサイトのアドレスとを、互いに関連づけて記憶するとともに、自身が記憶するアドレスのうちの少なくとも一部について、各アドレスとその一または複数の下位階層との少なくともいずれかに対応するウェブデータ上で商品情報を得るためにユーザがなすべき操作を案内する情報であるガイド情報を、前記各アドレスに関連づけてさらに記憶しているデータ記憶部を備えるコンピュータを、
ユーザによる商品名の入力を受け付け、検索対象商品名として前記データ記憶部に記憶させる商品名入力受付部と、
前記複数の商品提供者が開設するウェブサイトへのユーザによるアクセスの指示を受け付ける商品提供者サイトアクセス指示受付部と、
前記商品提供者サイトアクセス指示部がアクセスの指示を受け付けると、商品提供者が開設するウェブサイトのアドレスであって、前記データ記憶部に記憶されている前記検索対象商品名に関連づけられたアドレスを、前記データ記憶部から取得するアドレス取得部と、
前記アドレス取得部が取得したアドレスを前記ブラウザ部へ、アクセス先として受け渡すアドレス受渡部と、
前記ブラウザ部がアクセスするアドレスに関連づけられたガイド情報を前記データ記憶部から取得するガイド情報取得部と、
前記ブラウザ部がダウンロードしたウェブデータと前記ガイド情報取得部が取得したガイド情報とを、ユーザが同時並列に目視し得る形式で前記ブラウザ部に出力させる、ガイド情報出力部として、機能させるための商品情報検索支援プログラム。
【請求項１９】
請求項１５ないし１８のいずれかに記載の商品情報検索支援プログラムを記録したコンピュータ読み取り可能な商品情報検索支援プログラム記録媒体。